(57)【要約】【課題】  車両用サンバイザにおいて、サンバイザ本体の外表面を覆う表皮の縁部を合理的に処理する上で有効な技術を提供する。【解決手段】  本発明の車両用サンバイザ１０１は、サンバイザ本体１０３と、サンバイザ本体１０３の長手方向縁部に沿って所定の長さで形成された開口部１０３ｄと、サンバイザ本体１０３の外表面を覆う表皮１０４と、開口部１０３ｄを通じて表皮１０４の縁部１０４ｉをサンバイザ本体１０３内に保持しつつ開口部１０３ｄに挿入されており、当該挿入状態では開口部１０３ｄを封止するとともに、表皮１０４の端縁１０４ｉの開口部１０３ｄからの抜けを規制する封止部材１５１と、を有する。封止部材１５１は、サンバイザ本体１０３内において、当該サンバイザ本体１０３に係止することで当該封止部材１２１が挿入方向と反対側へ移動してサンバイザ本体１０３から離脱することを規制する係止機構部１５３を有する。【選択図】  図５
2007283931.tif 000002
【特許請求の範囲】
【請求項１】
サンバイザ本体と、
前記サンバイザ本体の長手方向縁部に沿って所定の長さで形成された開口部と、
前記サンバイザ本体の外表面を覆う表皮と、
前記開口部を通じて前記表皮の縁部を前記サンバイザ本体内に保持しつつ前記サンバイザ本体の外部から当該サンバイザ本体内へと向かう方向を挿入方向として前記開口部に挿入されており、当該挿入状態では前記開口部を封止するとともに、前記表皮の縁部の前記開口部からの抜けを規制する封止部材と、
前記封止部材につき、前記サンバイザ本体内において、当該サンバイザ本体に係止することで前記封止部材が挿入方向と反対側へ移動して前記サンバイザ本体から離脱することを規制する係止機構部と、を有することを特徴とする車両用サンバイザ。
【請求項２】
請求項１に記載の車両用サンバイザであって、
前記係止機構部は、前記サンバイザ本体と前記封止部材とのうちのいずれか一方に設けられ、前記封止部材の挿入方向と交差する方向に延びる係止片と、いずれか他方に設けられ、前記封止部材の挿入方向と反対方向に関し前記係止片に当接する当接片と、を有することを特徴とする車両用サンバイザ。
【請求項３】
請求項１または２に記載された車両用サンバイザであって、
前記縁部の延在方向は、当該縁部の全体にわたって前記封止部材の挿入方向と交差するように設定されていることを特徴とする車両用サンバイザ。
【発明の詳細な説明】
【技術分野】
【０００１】
この発明は、車両用サンバイザに関し、サンバイザ本体の外表面を覆う表皮材の縁部処理技術に関する。
【背景技術】
【０００２】
車両用サンバイザでは、サンバイザ本体の外表面を、例えばニット、ファブリック、不織布等の繊維からなる表皮によって覆うことによって外観見栄えを高めることが行われるが、この場合、表皮の端縁処理が見栄えの向上に大きく影響を及ぼすことになる。例えば、実開昭６２−１０５０１３号公報（特許文献１）には、サンバイザ本体の外表面を覆う袋状の表皮の端縁を、シール部材を用いてサンバイザ本体内に押し込む技術が記載されている。公報に記載の車両用サンバイザにおいては、サンバイザ本体の長手方向端部に沿ってスリット状の開口を形成し、このサンバイザ本体を袋状の表皮内に挿入した状態において、前記開口に向かって断面Ｔ形のシール部材の脚部を挿入する際、当該シール部材の脚部によって表皮の端縁をサンバイザ本体の開口内に押し込むことにより、表皮材の端縁処理を行うようにしたものである。
【０００３】
上記の端縁処理技術によれば、例えば溶着等によって端縁を処理する場合に比べて表皮材の端縁をきれいに仕上げることができ、外観見栄えを向上する上で有効となる。しかしながら、公報記載の技術では、表皮材に対しその端縁を開口内から引く抜く方向に引っ張り力が作用した場合、当該表皮材の端縁とともにシール部材が抜け出る可能性があり、この点においてなお改良の余地がある。
【特許文献１】実開昭６２−１０５０１３号公報
【発明の開示】
【発明が解決しようとする課題】
【０００４】
本発明は、上記に鑑み、車両用サンバイザにおいて、サンバイザ本体の外表面を覆う表皮の縁部を合理的に処理する上で有効な技術を提供することをその目的とする。
【課題を解決するための手段】
【０００５】
上記課題を達成するため、各請求項に記載の発明が構成される。
請求項１に記載の発明に係る車両用サンバイザは、サンバイザ本体と、サンバイザ本体の長手方向縁部に沿って所定の長さで形成された開口部と、サンバイザ本体の外表面を覆う表皮と、開口部を通じて表皮の縁部をサンバイザ本体内に保持しつつサンバイザ本体の外部からサンバイザ本体内へと向かう方向を挿入方向として開口部に挿入されており、挿入状態では開口部を封止するとともに表皮の縁部の開口部からの抜けを規制する封止部材と、封止部材につき、サンバイザ本体内において、当該サンバイザ本体に係止することで封止部材が挿入方向と反対側へ移動してサンバイザ本体から離脱することを規制する係止機構部と、を有する構成とされる。なお本発明における「挿入方向」とは、典型的には、開口部の開口面に交差（直交）する方向がこれに該当する。また本発明における「係止」とは、典型的には、封止部材とサンバイザ本体とが、封止部材の離脱方向（抜け方向）に関しての動きを規制する状態で相互に当接する態様がこれに該当する。例えば、封止部材とサンバイザ本体が挿入方向と交差する方向の面を介して互いに当接することで封止部材の離脱方向の動きを規制する態様、あるいは封止部材がサンバイザ本体から離脱する方向に移動しようとしたとき、封止部材の一部がサンバイザ本体に食い込むことであるいは引っ掛かることで封止部材の離脱が規制される態様である。
【０００６】
本発明によれば、サンバイザ本体の開口部を通じて表皮の縁部を当該サンバイザ本体内に保持しつつサンバイザ本体の外部からサンバイザ本体内へと向かう方向を挿入方向として開口部に挿入される封止部材を有する。そして封止部材は、挿入状態では開口部を封止するとともに表皮の縁部の開口部からの抜けを規制する構成とされる。これにより、表皮の縁部がサンバイザ本体内に挿入された状態で封止部材によって隠されることになり、外観見栄えのよい車両用サンバイザが提供される。また本発明の封止部材は、係止機構部によって当該封止部材の挿入方向と反対側に移動してサンバイザ本体から離脱することを規制される構成としている。このため、表皮に対してその縁部が開口部から抜け出る方向に外力が作用しても、係止機構部によって封止部材を挿入された位置に保持することができ、そして封止部材が挿入位置に保持されることで、表皮の縁部の抜け出しも防止できる。なお本発明における「縁部を保持しつつ」の態様としては、サンバイザ本体を袋状の表皮によって包んだ状態において、当該表皮の袋の口が開いたままの状態でサンバイザ本体内に保持する態様、あるいは袋の口を、例えば溶着により閉じた（接合した）状態で保持する態様のいずれも好適に包含する。
【０００７】
（請求項２に記載の発明）
請求項２に記載の発明によれば、請求項１に記載の車両用サンバイザにおける係止機構部は、サンバイザ本体と封止部材とのうちのいずれか一方に設けられ、封止部材の挿入方向と交差する方向に延びる係止片と、いずれか他方に設けられ、封止部材の挿入方向と反対方向に関し係止片に当接する当接片とを有する構成とされる。なお本発明における係止片と当接片については、典型的には、少なくとも一方が弾性変形可能に構成され、当該弾性変形を介して係止片と当接片が互いに係止する構成とされる。また係止片と当接片とについては、サンバイザ本体または封止部材に対して一体に形成する態様、あるいは別部材で形成した後、接合する態様のいずれも好適に包含する。本発明によれば、係止部材を挿入された位置に確実に保持することができる。
【０００８】
（請求項３に記載の発明）
請求項３に記載の発明によれば、請求項１または２に記載された車両用サンバイザにおける縁部の延在方向は、当該縁部の全体にわたって封止部材の挿入方向と交差するように設定された構成とされる。ここで本発明における「延在方向」とは、典型的には、封止部材の挿入方向に対し概ね直角に交差する方向および所定の傾斜角度で交差する方向、すなわち封止部材の挿入方向と平行な方向以外の方向をいう。本発明によれば、表皮の縁部の延在方向を封止部材の挿入方向と交差するように設定することによって、開口部を通じて表皮の縁部をサンバイザ本体内に挿入しつつ（押し込みつつ）開口部に封止部材を挿入する際、表皮の縁部を封止部材によってサンバイザ本体内に円滑に挿入することができる。
【発明の効果】
【０００９】
本発明によれば、車両用サンバイザにおいて、サンバイザ本体の外表面を覆う表皮の縁部を合理的に処理する上で有効な技術が提供されることとなった。
【発明を実施するための最良の形態】
【００１０】
以下、本発明の実施形態に係る車両用サンバイザについて、図面を参照しつつ詳しく説明する。図１には本実施の形態に係る車両用サンバイザの全体構成が簡略に示されている。図１に示すように、本実施の形態に係る車両用サンバイザ１０１は、概括的に見て、サンバイザ１０１の外形を構成するサンバイザ本体１０３と、サンバイザ本体１０３を車両に装着するための支軸１０５とを主体として構成されている。支軸１０５は、概ね鉛直方向に延びる縦軸部１０５ａと、概ね水平方向に延びる横軸部１０５ｂとを備えた略Ｌ字状に形成されている。支軸１０５の横軸部１０５ｂは、サンバイザ本体１０３における上縁部の一方の隅部に内蔵された軸受部（便宜上図示を省略する）に装着され、これによりサンバイザ本体１０３が横軸部１０５ｂの軸回りに相対的に回動自在とされる。支軸１０５の縦軸部１０５ａは、取付ブラケット１０７を介して車室天井面の前側隅部に回動自在に装着される。
【００１１】
車室天井面に装着されたサンバイザ１０１は、横軸部１０５ｂの軸回りに回動操作することで、車室の天井面に沿うように置かれる格納位置と、フロントガラスに沿うように置かれる遮光位置との間で配置位置を変更することができる。またサンバイザ１０１は、縦軸部１０５ａ回りに回動操作することで、フロント位置とサイドガラスに沿ったサイド位置との間で配置位置を変更することができる。またサンバイザ本体１０３は、上縁部の自由端側には、サポートシャフト１０９を有する。このサポートシャフト１０９は、車室の天井面に装着されるフック（便宜上図示を省略する）によって保持される。これによってサンバイザ１０１が格納位置から遮光位置へあるいは遮光位置から格納位置へと配置位置が変更されるときの、サンバイザ１０１の回動動作の安定化が図られている。
【００１２】
サンバイザ本体１０３は、図２〜図６に示すように、対向状に配置された２つの半分割された略皿型あるいは略椀形の本体構成部材（コア）１０３ａ，１０３ｂを互いに接合することで中空状のシェル構造とされ、その外表面が、例えばニット、ファブリック、不織布等の繊維からなる袋状の表皮材１０４によって包まれる。図２および図３では表皮材１０４の図示が省略されている。サンバイザ本体１０３は、本発明における「サンバイザ本体」に対応し、表皮材１０４は、本発明における「表皮」に対応する。なお両本体構成部材１０３ａ，１０３ｂの接合は、その合せ面側において、一方の本体構成部材１０３ａに設けた複数の中空状の筒部１０３ｆに、他方の本体構成部材１０３ｂに設けた対応する複数のピン１０３ｇを嵌入することで行われる構成とされる。
【００１３】
またサンバイザ本体１０３は、内部空間１０３ｃと外部とをつなぐスリット１０３ｄを有する。このスリット１０３ｄは、図２〜図４に示すように、本体構成部材１０３ａ，１０３ｂの合せ面における周縁部のうちの長手方向上縁部に沿って所定の長さで形成されている。スリット１０３ｄは、本発明における「開口部」に対応する。上記のように形成されたサンバイザ本体１０３は、上縁部のうちのサポートシャフト１０９が配置される領域には、当該上縁部の長手方向と交差する方向に所定の深さで凹むサポートシャフト設定用としての凹部１０３ｅ（図２および図３参照）を有する。この凹部１０３ｅは、後述する封止プレート１５５をスリット１０３ｄに挿入するに際しての表皮材１０４の袋の口部を構成する開口端縁１０４ｍの挿入性（押し込み性）を考慮して緩やかに傾斜する略Ｖ形の湾曲状に形成されている。
【００１４】
サンバイザ本体１０３の外表面を形成する１枚あるいは２枚の表皮材１０４は、所定寸法に裁断した後、上記のスリット１０３ｄに対応する部位を除いた部位が、例えば縫製され、非縫製部位が開口された袋状に形成される。そして袋状の表皮材１０４内にシェル構造のサンバイザ本体１０３が袋詰めされる。この状態が図４に示される。なお表皮材１０４の開口端縁１０４ｍは、サンバイザ本体１０３の上縁部の外形形状に倣う形状に形成されている。
【００１５】
次にサンバイザ本体１０３の上方（外部）から当該サンバイザ本体１０３のスリット１０３ｄに挿入して当該スリット１０３ｄを封止する封止プレート１５５につき説明する。封止プレート１５５は、本発明における「封止部材」に対応する。図２および図３にはスリット１０３ｄに挿入される前の封止プレート１５５の全体構成が示される。図示のように、封止プレート１５５は、断面形状が縦長の概ね矩形状に形成されたプレート本体部１５５ａと、当該プレート本体部１５５ａの下部側に一体に連接する押し込み部１５５ｂとを主体として構成され、長手方向（水平方向）の全長がスリット１０３ｄの長さに対応している。押し込み部１５５ｂは、断面形状において、その横幅がプレート本体部１５５ａの横幅よりもやや小さい寸法に形成されるとともに、下縁部長手方向の形状がサンバイザ本体１０３の上縁部長手方向の形状に対応しており、封止プレート１５５をスリット１０３ｄに挿入する際、当該スリット１０３ｄを通じて表皮材１０４の開口端縁１０４ｍをサンバイザ本体１０３内に挿入（押し込む）するべく機能する。開口端縁１０４ｍは、本発明における「縁部」に対応する。
【００１６】
図２および図３に示すように、封止プレート１５５は、長手方向の所定箇所（サンバイザ本体１０３の凹部１０３ｅに対応する箇所）には、凹部１０３ｅに対応する形状、すなわち略Ｖ形に形成されたシャフト支持部１５５ｃを有し、当該シャフト支持部１５５ｃに前述したサポートシャフト１０９が設けられている。シャフト支持部１５５ｃの略Ｖ形上縁部には、封止プレート１５５の挿入方向（上下方向）と交差する方向（水平方向）へと延出するフランジ部１５５ｄが形成されている。このフランジ部１５５ｄは、封止プレート１５５をサンバイザ本体１０３のスリット１０３ｄに挿入したときに、凹部１０３ｅの上縁に当接することによって封止プレート１５５の挿入位置を規定するストッパとして機能する。
【００１７】
また封止プレート１５５は、押し込み部１５５ｂの下部側（挿入方向の先端側）に、長手方向に所定間隔で配置された抜け止め用としての複数の係止突起１５７ａを有する（図２および図３参照）。係止突起１５７ａは、図４に示すように、挿入方向と交差する方向に延出する領域、すなわち張出し部１５７ｃを有している。そして封止プレート１５５がスリット１０３ｄに挿入されたとき、張出し部１５７ｃは、サンバイザ本体部１０３の内部空間１０３ｃにおいて、サンバイザ本体部１０３の内壁面（各本体構成部材１０３ａ，１０３ｂの内壁面）に互いに対向するように設けた一対の板状部１５７ｂに対して抜け方向、すなわち封止プレート１５５の挿入方向と反対方向に関して係止し、これにより封止プレート１５５の抜け方向（離脱方向）の移動を規制する構成とされる。上記の係止突起１５７ａと板状部１５７ｂによって抜け止め用の係止機構部１５７が構成されている。係止突起１５７ａは、本発明における「係止片」に対応し、板状部１５７ｂは、本発明における「当接片」に対応する。
【００１８】
なお係止突起１５７ａは、先端側に向って先細りとなるテーパー形状に形成されている。他方、一対の板状部１５７ｂは、内部空間１０３ｃにおいて、所定の間隔を置いて互いに対向するように水平状に配置されるとともに、その対向端部には下向き（挿入方向）に傾斜するテーパー面が形成されている。これにより対向する板状部１５７ｂ間に対する係止突起１５７ａの挿入の円滑性が図られている。
【００１９】
上記のように形成された封止プレート１５５は、サンバイザ本体１０３のスリット１０３ｄに挿入される。当該挿入状態が図５および図６に示される。本実施の形態によれば、封止プレート１５５をサンバイザ本体１０３の上方からスリット１０３ｄに挿入する際、当該スリット１０３ｄを通じて表皮材１０４の開口端縁１０４ｍを当該封止プレート１５５の押し込み部１５５ｂによってサンバイザ本体１０３内へと挿入することができる。そしてスリット１０３ｄに挿入された封止プレート１５５は、係止機構部１５７によって抜け止めされる。すなわち、係止突起１５７ａは、対向する板状部１５７ｂ間に、当該係止突起１５７ａあるいは板状部１５７ｂのいずれか一方または双方を弾性変形させつつ挿入される。そして係止突起１５７ａが板状部１５７ｂ間を通過後、係止突起１５７ａの張出し部１５７ｃが板状部１５７ｂの下面に係止し、これによって封止プレート１５５が挿入位置に保持される。
【００２０】
封止プレート１５５がスリット１０３ｄに挿入されるとともに、係止機構部１５７によって抜け止めされた状態では、封止プレート１５５のプレート本体部１５５ａがスリット１０３ｄを封止する位置に置かれる。このとき、押し込み部１５５ｂによってスリット１０３ｄを通じてサンバイザ本体１０３内に押し込まれた表皮材１０４の開口端縁１０４ｍは、プレート本体部１５５ａの側面とスリット１０３ｄの端面とによって挟持され、これによりスリット１０３ｄからの抜け出しが規制される。本実施の形態においては、図４〜図６に示すように、スリット１０３ｄの開口端面には内側に向って先端が鋭角状に突出する突部１０３ｈがスリット１０３ｄの全周にわたって形成されている。このため、この突部１０３ｈが表皮材１０４の開口端縁１０４ｍの側面に食い込むように係止し、これによって開口端縁１０４ｍのスリット１０３ｄからの抜け出しがより確実に防止されることになる。
【００２１】
以上のように、本実施の形態によれば、封止プレート１５５によって表皮材１０４の開口端縁１０４ｍをサンバイザ本体１０３の内部に挿入して隠すことができるため、外観見栄えのよい車両用サンバイザ１０１を提供できる。この場合、封止プレート１５５の外表面（上面）につき、表皮材１０４の外形に倣う形状あるいは表皮材１０４と同色の色彩とすることで、外観見栄えをより向上できる。
また本実施の形態によれば、封止プレート１５５は、係止機構部１５７によってサンバイザ本体１０３に抜け止めされる構成としている。このため、表皮材１０４に対して開口端縁１０４ｍがスリット１０３ｄから抜け出る方向に外力が作用しても、封止プレート１５５が開口端縁１０４ｍに引っ張られてスリット１０３ｄから抜け出るといったことが防止され、また封止プレート１５５が挿入位置に保持されることで、表皮材１０４の開口端縁１０４ｍの抜け出しも防止できる。
【００２２】
また本実施の形態においては、図３および図７に示すように、サンバイザ本体１０３の上縁部に設定されるサポートシャフト１０９のための凹部１０３ｅにつき、傾斜の緩やかな略Ｖ形の曲面形状としている。このことにより、サンバイザ本体１０３の上縁部の延在方向は、上記の凹部１０３ｅを含む上縁部の全体にわたって封止プレート１５５の挿入方向と交差する構成とされる。すなわち、サンバイザ本体１０３の上縁部は、封止プレート１５５の挿入方向と平行に延在する領域を有しない構成としている。したがって、サンバイザ本体１０３の上縁部に被さる表皮材１０４の開口端縁１０４ｍの延在方向もまた封止プレート１５５の挿入方向と交差する（図７参照）。このため、封止プレート１５５をスリット１０３ｄに挿入する際、表皮材１０４の開口端縁１０４ｍは、その延在方向の全体にわたって封止プレート１５５の押し込み部１５５ｂによって押さえ込まれる。すなわち、本実施の形態によれば、表皮材１０４の開口端縁１０４ｍを封止プレート１５５によってスリット１０３ｄからサンバイザ本体１０３内へと円滑に挿入することが可能となり、そしてプレート本体部１５５ａの側面とスリット１０４ｍの端面との間で挟持することができる。
【００２３】
なお上述した実施の形態では、封止プレート１５５の押し込み部１５５ｂにつき、プレート本体部１５５ａの横幅よりも小さい横幅寸法に設定したが、係止突起１５７ａの設定領域を除いては、プレート本体部１５５ａと同一断面形状に設定しても構わない。
【００２４】
図８にはサンバイザ本体１０３内に挿入された開口端縁１０４ｍの抜け止めに関する変更例が示される。この変更例では、開口端縁１０４ｍにつき、図示のように、封止プレート１５５の係止突起１５７ａとサンバイザ本体１０３の板状部１５７ｂとの間に挟み込む構成としたものである。このような構成としたときは、開口端縁１０４ｍの抜け防止効果をより一層高めることができる。
【００２５】
（本発明の第２の実施形態）
次に本発明の第２の実施形態につき、図９および図１０を参照しつつ説明する。第２の実施形態は、封止プレート１５５の抜け止め構造、すなわち係止機構部１５７に関するものであって、この係止機構部１５７以外の構成については、前述した第１の実施形態と同様である。このため、第１の実施形態と同様の構成部材については、同一符号を付してその説明を省略する。
【００２６】
第２の実施形態に係る係止機構部１５７においては、封止プレート１５５の係止突起１５７ａが係止されるサンバイザ本体１０３側の当接部につき、中央部に矩形の貫通孔１５７ｅが形成された板状部１５７ｄと、この板状部１５７ｄの突出端部側（自由端側）を下方から支える補強突起１５７ｆとによって構成したものである。板状部１５７ｄは、一方の本体構成部材１０３ａの内壁面から水平状に突設され、補強突起１５７ｆは、他方の本体構成部材１０３ｂの内壁面から突設されて板状部１５７ｄの突出端部下面に下方から当接する構成とされる。なお係止突起１５７ａについては、第１の実施形態と同様に構成される。
【００２７】
本実施形態によれば、上記のように構成したことにより、封止プレート１５５のスリット１０３ｄへの挿入時において、係止突起１５７ａが板状部１５７ｄの貫通孔１５７ｅ内に強制的に挿入されるとき、当該板状部１５７ｄに作用する挿入荷重を補強突起１５７ｆによって下方から支えることができる。このことによって板状部１５７ｄの変形が抑えられるため、係止突起１５７ａの板状部１５７ｄに対する挿入および係止作用を円滑に行うことが可能となる。
【００２８】
また本実施の形態においては、互いに対応する板状部１５７ｄと補強突起１５７ｆとにつき、一方の本体構成部材１０３ａと他方の本体構成部材１０３ｂにそれぞれ交互に設定する構成、つまり各本体構成部材１０３ａ，１０３ｂに板状部１５７ｄと補強突起１５７ｆとを交互に設定する構成としている。このことによって、両本体構成部材１０３ａ，１０３ｂを互いに接合した状態では、一方の本体構成部材１０３ａ側の板状部１５７ｄと補強突起１５７ｆが、他方の本体構成部材１０３ｂ側の板状部１５７ｄと補強突起１５７ｆに対してこれらを上下方向から挟み込むように当接することになる。このため、両本体構成部材１０３ａ，１０３ｂが互いに離間する方向に移動することを抑えることができる。すなわち、本体構成部材１０３ａ，１０３ｂの開き防止として有効である。
【００２９】
なおサンバイザ本体１０３のスリット１０３ｄに挿入される封止プレート１５５を抜け止めする係止機構部１５７については、上述した構成に限らず、例えば図１１に示す如き構成を採用しても構わない。図１１に示す係止機構部１５７は、サンバイザ本体１０３側には、挿入方向に向って広がる逆テーパー状の係止面１５７ｈを設定する一方、封止プレート１５５の係止突起１５７ａには、挿入方向と逆の方向に突出する弾性変形可能な突片１５７ｇを設けたものである。このような構成によれば、抜け方向に対して突片１５７ｇが係止面１５７ｈに食い込むことで封止プレート１５５の抜け方向の移動を規制することができる。
【００３０】
なお本発明は、下記の如き態様を構成することができる。
（態様１）
「請求項１〜３のいずれか１つに記載の車両用サンバイザであって、
前記開口部は、当該開口部の全周にわたって先端が内側に向って鋭角状に突出する突部を有し、前記突部の先端が前記開口部に挿入された前記縁部の側面に食い込むように係止する構成としたことを特徴とする車両用サンバイザ。」
【００３１】
（態様２）
「請求項１〜３のいずれか１つ記載の車両用サンバイザであって、
前記サンバイザ本体は、長手方向縁部には、車両側に装着されたフック部によって支持されるサポートシャフトを有するとともに、当該サポートシャフトが設定される領域には、前記長手方向縁部の延在方向と交差する方向に凹む凹部を有し、
前記凹部は、長手方向縁部に沿って緩やかな傾斜で延在する概ねＶ形の曲面によって形成されていることを特徴とする車両用サンバイザ。」
【００３２】
（態様３）
「請求項２に記載の車両用サンバイザであって、
前記サンバイザ本体内に挿入された前記縁部は、前記係止片と前記当接片との当接部によって挟持される構成としたことを特徴とする車両用サンバイザ。」
【００３３】
（態様４）
「請求項１〜３のいずれか１つまたは態様１〜３のいずれか１つに記載の車両用サンバイザであって、
前記封止部材は、車両側に装着されたフック部によって支持されるサポートシャフトを有することを特徴とする車両用サンバイザ。」
【図面の簡単な説明】
【００３４】
【図１】本発明の第１の実施形態に係る車両用サンバイザの概略構成を示す正面図である。
【図２】挿入前の封止プレートとサンバイザ本体を示す斜視図である。
【図３】図２の一部を拡大して示す斜視図である。
【図４】封止プレートが挿入される前のサンバイザ本体および表皮材を示す断面図である。
【図５】封止プレートが挿入された状態のサンバイザ本体および表皮材を示す断面図である。
【図６】サポートシャフト付近の断面図である。
【図７】表皮材の開口端縁の延在方向がサポートシャフト設定領域においても封止プレートの挿入方向と交差していることを示す図である。
【図８】表皮材の開口端縁の抜け止めに関する変更例を示す断面図である。
【図９】本発明の第２の実施形態に係る係止機構部を示す断面図である。
【図１０】同じく第２の実施形態に係る係止機構部を説明する斜視図である。
【図１１】係止機構部の変更例を示す断面図である。
【符号の説明】
【００３５】
１０１  車両用サンバイザ
１０３  サンバイザ本体
１０３ａ  本体構成部材
１０３ｂ  本体構成部材
１０３ｃ  内部空間
１０３ｄ  スリット（開口部）
１０３ｅ  凹部
１０３ｆ  筒部
１０３ｇ  ピン
１０３ｈ  突部
１０４  表皮材（表皮）
１０４ｍ  開口端縁（端縁）
１０５  支軸
１０５ａ  縦軸部
１０５ｂ  横軸部
１０７  取付ブラケット
１０９  サポートシャフト
１５５  封止プレート（封止部材）
１５５ａ  プレート本体部
１５５ｂ  押し込み部
１５５ｃ  シャフト支持部
１５５ｄ  フランジ部
１５７  係止機構
１５７ａ  係止突起（係止片）
１５７ｂ  板状部（当接片）
１５７ｃ  張出し部
１５７ｄ  板状部
１５７ｅ  貫通孔
１５７ｆ  補強突起
１５７ｇ  突片
１５７ｈ  係止片
【図１】
2007283931.tif 000003
【図２】
2007283931.tif 000004
【図３】
2007283931.tif 000005
【図４】
2007283931.tif 000006
【図５】
2007283931.tif 000007
【図６】
2007283931.tif 000008
【図７】
2007283931.tif 000009
【図８】
2007283931.tif 000010
【図９】
2007283931.tif 000011
【図１０】
2007283931.tif 000012
【図１１】
2007283931.tif 000013